(57)【特許請求の範囲】
【請求項１】
上下動するスライドの金型取り付け面に対向して配置された下ホルダと、該下ホルダを貫通して配置されたノックアウトピンと、該ノックアウトピンをノックアウトするノックアウトブロックとを備えたノックアウト装置であって、前記ノックアウトブロックの側面と、該ブロック側面に対向して配置固定される一対のガイドレール間に、ノックアウトブロック側の面を球面とする中間ライナーを複数個配置し、ノックアウトブロックをガイドしていることを特徴としたプレス機械のノックアウト装置。
【請求項２】
ガイドレールは円筒もしくは円柱状で、中間ライナーの他方面と面接触していることを特徴とした請求項１記載のプレス機械のノックアウト装置。
【請求項３】
ガイドレールは三角柱状で、中間ライナーの他方面と２面接触していることを特徴とした請求項１記載のプレス機械のノックアウト装置。
【請求項４】
ノックアウトブロックの下方端は、一端を上下動する作動源に連結したノックアウトレバーの他端に偏心回動機構を介して回動可能に連結されていることを特徴とした請求項１乃至３のいずれか記載のプレス機械のノックアウト装置。
【請求項５】
上下動するスライドの金型取り付け面に対向して配置された下ホルダと、該下ホルダを貫通して配置されたノックアウトピンと、該ノックアウトピンをノックアウトするノックアウトブロックと、前記ノックアウトブロックの側面と、該ブロック側面に対向して配置固定される一対のガイドレール間に、ノックアウトブロック側の面を球面とする中間ライナーを複数個配置し、かつノックアウトブロックの下方端を、一端を上下動する作動源に連結したノックアウトレバーの他端に偏心回動機構を介して回動可能に連結したノックアウト装置であって、前記作動源は復動両ロッド形油圧シリンダーで、該シリンダーは油圧タンクから供給される油を電動機により駆動される可変油圧ポンプにより圧送して制御され、該油圧ポンプと電動機間には回転エネルギーを蓄積し、外部制御により開閉されるクラッチを介したフライホイールが設けられていることを特徴としたプレス機械のノックアウト装置。
【請求項６】
電動機の回転エネルギーはフライホイールに蓄積された後、外部制御により開閉されるクラッチを介して油圧ポンプに供給されることを特徴とした請求項５記載のプレス機械のノックアウト装置。
【請求項７】
油圧供給回路内の油圧が予め設定された基準値を超えた場合は圧力制御弁が作動して油をタンクへ誘導することを特徴とした請求項５もしくは６記載のプレス機械のノックアウト装置。
【発明の詳細な説明】
【０００１】
【発明の属する技術分野】
本発明は、プレス加工された製品を金型内から取り出すためのプレス機械のノックアウト装置に関する。
【０００２】
【従来の技術】
プレス機械のノックアウト装置はプレス加工された製品を取り出すために必須の機構であり、プレスの種類に関わらず広く採用されている。
その代表的構造のものが特開平６−１２６３６８号公報に示されている。本実施例において金型を固定する下ホルダは、ボルスタの上面に固定され、下ホルダ及びボルスタの中央には貫通孔が形成され、そこにはマンドレル移動ピンが挿通されている。ノックアウトピンは該ピンの下端と当接するローラにより上下動するように構成されている。またこのローラは第１乃至第３のリンク機構を介してカム機構に連動するように構成されている。
一方特開平９−２８５８３０号公報には、ノックアウトピンをケース及びテーパブロックでガイドする構造のノックアウト装置が開示されている。
【０００３】
【発明が解決しようとする課題】
しかしながら、前者の構成においてローラーは、一端を支点として回動するリンク部材の先端の描く軌跡に沿って回動することになる。従ってノックアウトピンとの接触点はローラーの位置によって移動すると共に、ノックアウトピンも移動することになり、結果としてノックアウトピンを常時垂直に突き上げることは難しく、これが機械的振動となり騒音元になったり或いは摺動負荷となって可動に高いエネルギーが必要とする等の不都合が生じる。
【０００４】
一方後者のもののローラーは、前者同様ノックアウトレバーの移動軌跡に沿って移動すことに変わりはなく、ノックアウト時に常にノックアウトピンの中心を突き上げる構成にはなっていない。従って当然ながらノックアウトピンに曲げ応力が作用しケースとの間にスムーズな可動が得られず、上記同様な問題が懸念される。
本発明は、ノックアウトに必要なエネルギーが小さくて、かつ常に安定したノックアウト荷重で作動し、低騒音で省エネルギー型のプレス機械のノックアウト装置を簡単な構成にて提供することを目的とする。
【０００５】
本発明の１つは、上下動するスライドの金型取り付け面に対向して配置された下ホルダと、該下ホルダを貫通して配置されたノックアウトピンと、該ノックアウトピンをノックアウトするノックアウトブロックとを備えたノックアウト装置であって、前記ノックアウトブロックの側面と、該ブロック側面に対向して配置固定される一対のガイドレール間に、ノックアウトブロック側の面を球面とする中間ライナーを複数個配置し、ノックアウトブロックをガイドしていることを特徴としたプレス機械のノックアウト装置によって達成される。
【０００６】
本発明の好ましくは、ガイドレールは円筒もしくは円柱状で、中間ライナーの他方面と面接触していることを特徴としたノックアウト装置によって達成される。
本発明の好ましくは、ガイドレールは三角柱状で、中間ライナーの他方面と２面接触していることを特徴としたノックアウト装置によって達成される。
本発明の好ましくは、ノックアウトブロックの下方端は、一端を上下動する作動源に連結したノックアウトレバーの他端に偏心回動機構を介して回動可能に連結されていることを特徴としたノックアウト装置によって達成される。
【０００７】
本発明の１つは、上下動するスライドの金型取り付け面に対向して配置された下ホルダと、該下ホルダを貫通して配置されたノックアウトピンと、該ノックアウトピンをノックアウトするノックアウトブロックと、前記ノックアウトブロックの側面と、該ブロック側面に対向して配置固定される一対のガイドレール間に、ノックアウトブロック側の面を球面とする中間ライナーを複数個配置し、かつノックアウトブロックの下方端を、一端を上下動する作動源に連結したノックアウトレバーの他端に偏心回動機構を介して回動可能に連結したノックアウト装置であって、前記作動源は復動両ロッド形油圧シリンダーで、該シリンダーは油圧タンクから供給される油を電動機により駆動される可変油圧ポンプにより圧送して制御され、該油圧ポンプと電動機間には回転エネルギーを蓄積し、外部制御により開閉されるクラッチを介したフライホイールが設けられていることを特徴としたプレス機械のノックアウト装置により達成される。
【０００８】
本発明の好ましくは、電動機の回転エネルギーはフライホイールに蓄積された後、外部制御により開閉されるクラッチを介して油圧ポンプに供給されることを特徴としたノックアウト装置により達成される。
本発明の好ましくは、油圧供給回路内の油圧が予め設定された基準値を超えた場合は圧力制御弁が作動して油をタンクへ誘導することを特徴としたノックアウト装置により達成される。
【０００９】
【発明の実施の形態】
以下本発明の実施例を図１乃至図４に示すネジ式機械プレスに従って説明する。図１乃至図４において、プレス機械本体１はフレーム２の上部クラウン部３にポンプモータ４を配置固定し、その出力軸５にフランジ６からなる結合部材を介して雄ネジを形成したネジシャフト７を結合固定している。該ネジシャフト７はプレス機械本体のほぼ中程まで延びていて、下方端を半球状にした球面ナット８を螺合し、該ナットは上部スライド９にキー等を介して結合固定されている。
【００１０】
下部スライド１０は中心部に前記ネジシャフト７を受け入れる遊び穴１１を有し、上面部が座１２を介して前記球面ナット７に対向され、球面接触されている。そしてボルトにより前記上部スライド９に吊り下げ固定されている。
【００１１】
前記スライドガイド装置はフレーム２の内側に固定されレールの役目をする４本の固定ギブ１３と、前記スライド９（１０）と固定ギブ１３間に位置する中間ライナー１４、１５とから構成される。
【００１２】
次に本発明の要旨であるノックアウト装置１６について図２乃至４にて詳細に説明するならば、プレス機械のほぼ中央部に植立する一対の円筒もしくは円柱状のガイドレール１７に、軸受け材等からなる複数個の中間ライナー１８を介してノックアウトブロック１９がスライド自在に配置されている。このノックアウトブロックはボルスタ２０上に載置される下ホルダ２１のノックアウトピン２２に対向して配置されている。該ノックアウトブロック１９は前記ガイドレール１７と板圧がほぼ等しく、下方端中央に円筒穴２３を形成している。
【００１３】
ここで、中間ライナー１８は図４に詳細があるように外周を半球面１８ａとし、ノックアウト１９の円面１９ａと面接触させ、内周円面１８ａを前記ガイドレール１７の外周面に接触させている。またこの中間ライナー１８は外周頂点部に突起１８ｃを有しノックアウトブロック１９と一定の位置関係を保ちずり落ちないような構成になっている。
【００１４】
前記円筒穴２４には偏心軸２４を有する滑り子２５が挿入され、該偏心軸２４には中央部をボルスタ２０に設けた軸２６に球面軸受け２７を介して回動自在に保持されたノックアウトレバー２８の二股の一方端を係合させ、ノックアウトレバー２８の他方端はノックアウトレバーの作動源となる復動両ロッド形油圧シリンダー２９のピストンロッド３０の一端にクレビス３１で係合されている。
【００１５】
前記復動両ロッド形油圧シリンダー２９は、図１にあるようにタンク３２から供給される油を手動可変形油圧ポンプ３３により圧油し制御される。また油圧ポンプ３３の駆動は電動機Ｍがフライホイール３４を介して蓄積されたエネルギーにより行われるが、その伝達はエアなどの駆動源３５により制御されるクラッチ機構３６を介して行われる。従って極めて小さな動力源で安定して油圧発生エネルギーが供給できる利点がある。さらに油圧回路内には油圧が設定値を超えた際、油をタンク３２へ誘導すべき圧力制御弁３７が設けられ油圧回路を保護している。
【００１６】
このような構成において、ポンプモータ４により回転力が得られ、ネジシャフト７が反推進方向に回転するとネジシャフトに螺合するナット８は周囲をガイドレール１３及び中間ライナー１４により回転拘束された上部スライド９と共にネジ作用により下降する。もちろん上部スライドと結合されている下部ライナー１０も一体に下降する。    ここで金型のついた下部スライド１０と上部スライド９とは分離されているため上部スライド９に生じるネジ回転力が、下部スライド１０に直接伝わらず製品加工時のねじり力を極力押さえることが可能となっている。
【００１７】
次に要旨となるノックアウト装置についてみれば、タンク３２より供給された油は電動機Ｍの回転エネルギーを蓄積したフライホイール３４の回転力にて駆動される油圧ポンプ３３にて圧送され、シリンダー２９のピストンロッド３０を可動する。これによってピストンロッド３０が図示の下方に移動するとノックアウトレバー２８の他端は軸２６を中心にして描かれる軌跡に沿って上方に移動しようとするので、偏心軸２４も同様にある曲率半径で移動する。
【００１８】
しかしこの移動運動は滑り子２５によって上下方向の直線運動に変えられ、ノックアウトブロック１９に掛かる偏荷重を極力抑えてスムーズに移動させる。加えて、ガイドレール１７とノックアウトブロック１９間には複数個の中間ライナー１８が配置されているため、仮にノックアウトブロックに偏荷重が生じてもそれぞれの中間ライナーが偏荷重を吸収（自動調心）してスムーズな移動は持続される。
【００１９】
この中間ライナー１８は図４にあるように球面の組み合わせで簡単にガイドレール１７とノックアウトブロック１９間に位置させることができるため、極めてシンプルで、小さなエネルギー源で安定してノックアウト可能となり、省資源の効果も大きい。
【００２０】
図５、６は他の実施例で、本質は前記実施例と同様であるが、ガイドレールを三角柱１７１とし、中間ライナー１８１の内面を三角状に加工して２面接触にて三角柱１７１に摺動させ、かつ球面に加工した外周面をノックアウトブロック１９１の側面に形成した球面窪みに回動自在に面接触させている。なお詳細は省くが当然ながあらゆる摺動面は必要に応じて潤滑がなされ、適切な材料が組み合わせで選択される。
【００２１】
本発明の実施例によればノックアウトブロックの側面と、該ブロック側面に対向して配置固定される一対のガイドレール間に、ノックアウトブロック側の面を球面とする中間ライナーを複数個配置し、ノックアウトブロックをガイドすることによってノックアウトブロックに多少の偏荷重が働いても自動調心作用が働いて、該ブロックの移動がスムーズで軽快に静音で作動するノックアウト装置が提供される。
【００２２】
ガイドレールは円筒もしくは円柱状で、中間ライナーの他方面と面接触していることにより極めて簡単な機構で安定して作動するノックアウト装置が提供される。
【００２３】
ガイドレールは三角柱状で、中間ライナーの他方面と２面接触していることにより機械強度の高いガイド機構を備えたノックアウト装置が提供される。
【００２４】
ノックアウトブロックの下方端は、一端を上下動する作動源に連結したノックアウトレバーの他端に偏心回動機構を介して回動可能に連結されていることによりノックアウトレバーの移動軌跡に関係なく常に安定した垂直方向の突き上げ力が作動するノックアウト装置が提供される。
【００２５】
ノックアウトレバーを動かす作動源は復動両ロッド形油圧シリンダーで、該シリンダーは油圧タンクから供給される油を電動機により駆動される可変油圧ポンプにより圧送して制御され、該油圧ポンプと電動機間には回転エネルギーを蓄積し、かつ外部制御により開閉されるクラッチを介したフライホイールを設けることにより省エネルギー型のノックアウト装置を簡単、小型にして提供される。
【００２６】
電動機の回転エネルギーはフライホイールに蓄積された後、外部制御により開閉されるクラッチを介して油圧ポンプに供給されることにより、小型で省エネルギー型のノックアウト装置が提供される。
【００２７】
油圧供給回路内の油圧が予め設定された基準値を超えた場合は圧力制御弁が作動して油をタンクへ誘導することにより安全で、油漏れのないノックアウト装置が提供される。
【００２８】
【発明の効果】
本発明によればノックアウトに必要なエネルギーが小さくて、かつ常に安定したノックアウト荷重で作動し、低騒音で省エネルギー型のプレス機械のノックアウト装置を簡単な構成にて提供することことができる。
【図面の簡単な説明】
【図１】本発明の実施例におけるネジ式プレス機械の要部縦断正面図
【図２】図１のノックアウト装置部の要部拡大縦断側面図
【図３】図２のＩＩＩ―ＩＩＩ断面図
【図４】図１及び図２におけるスライドガイド部の要部拡大斜視図
【図５】他の実施例を示す図２のＩＩＩ―ＩＩＩ断面相当図
【図６】図５おけるスライドガイド部の要部拡大断面図
【符号の説明】
１７はガイドレール  １８は中間ライナー  １９はノックアウトブロック  ２５は滑り子  ２５ａは偏心軸  ２８はノックアウトレバー  ２９は油圧シリンダー  ３３は油圧ポンプ    ３４はフライホイール    ３６はクラッチ  ３７は油圧制御弁
【図１】
0003615671.tif 000002
【図２】
0003615671.tif 000003
【図３】
0003615671.tif 000004
【図４】
0003615671.tif 000005
【図５】
0003615671.tif 000006
【図６】
0003615671.tif 000007